(57)【要約】【課題】顧客サイトの部門に置かれる装置のパフォーマンスに加え、対象者の動きも分析し、顧客サイトの装置を用いた部門の生産性を評価する。【解決手段】病院サイトＨＣＦ１〜ｎに置かれたモダリティ１０に接続されるサービスプロセッサ（ＳＰ）３０と、ＳＰ３０に接続されるサービスセンターＳＶＣのデータサーバ４４と、医療スタッフ及び患者等のヒトＯＢの動きに関する情報を検出するヒト追跡センサ２０とを備える。ＳＰ３０は、モダリティ１０のパフォーマンス情報に加え、センサ２０の検出データを収集してＤＢ３２に所定期間保存し、データサーバ４４に転送する処理部３１を有する。データサーバ４４は、ＳＰ３０からのデータをＤＢに保存し、保存データに基づき、ヒトＯＢの動きに関連付けてモダリティ１０を用いた検査に関するワークフローを分析してワークフロー分析レポートを作成する処理部４１を有する。【選択図】  図１
2005293301.tif 000002
【特許請求の範囲】
【請求項１】
遠隔地の医用施設内にある医用装置の動作に関するパフォーマンス情報をネットワークを介して収集し、前記パフォーマンス情報を分析し、その分析結果のレポートを提供する情報処理装置であって、
前記医用施設内のセンサにより検出された人の動きに関する情報及び前記パフォーマンス情報を受信する手段と、
前記人の動きに関する情報及び前記パフォーマンス情報を保存するデータベース手段と、
前記データベースに記憶された前記人の動きに関する情報及び前記パフォーマンス情報に基づき、前記医用施設における作業の分析レポートを作成する処理手段とを有することを特徴とする情報処理装置。
【請求項２】
顧客サイトに置かれた装置からその装置の動作に関するパフォーマンス情報を収集するステップと、収集された前記パフォーマンス情報を分析して前記装置を用いた作業に関する顧客向けワークフロー分析レポートを作成するステップとを有するワークフロー分析レポート作成方法であって、
前記装置を用いた作業を行う作業者を含む対象者の動きに関する情報を検出するステップをさらに備え、
前記パフォーマンス情報を収集するステップは、
前記パフォーマンス情報に加え、センサの検出データを収集するステップと、
収集された前記データを前記情報処理装置に転送するステップとを有し、
前記ワークフロー分析レポートを作成するステップは、
前記サービスプロセッサからのデータを保存するステップと、
保存された前記データに基づき、前記対象者の動きに関連付けて前記装置を用いた作業に関するワークフローを分析し、該分析情報から前記ワークフロー分析レポートを作成するステップとを有することを特徴とするワークフロー分析レポート作成方法。
【請求項３】
請求項２記載のワークフロー分析レポート作成方法において、
前記分析情報もしくは前記サービスプロセッサで収集された情報を入力してシミュレーション分析を行うステップをさらに備えたことを特徴とするワークフロー分析レポート作成方法。
【請求項４】
請求項２又は３記載のワークフロー分析レポート作成方法において、
前記顧客サイトは複数存在し、
自顧客サイトで得られた分析情報に加え、複数の他顧客サイトで得られた分析情報をレポート表示するステップをさらに備えたことを特徴とするワークフロー分析レポート作成方法。
【請求項５】
請求項２乃至４のいずれか１項に記載のワークフロー分析レポート作成方法において、
前記顧客サイトは、病院を含む医療機関であり、
前記装置は、前記医療機関の検査室に置かれるモダリティであり、
前記対象者は、前記モダリティを用いた検査を医療スタッフ及び該検査の被検者を含み、前記ワークフローは、前記モダリティを用いた検査に関するものであることを特徴とするワークフロー分析レポート作成方法。
【請求項６】
前記対象者の動きは、被検体を載せる寝台装置の天板の上下動の動きに基づいて決められたものであることを特徴とする請求項１記載のワークフロー分析レポート作成方法。
【請求項７】
顧客サイトに置かれた装置からその装置の動作に関するパフォーマンス情報を収集するサービスプロセッサと、
前記サービスプロセッサからのパフォーマンス情報を分析して前記装置を用いた作業に関する顧客向けワークフロー分析レポートを作成する情報処理装置とを有するワークフロー分析レポート作成システムであって、
前記装置を用いた作業を行う作業者を含む対象者の動きに関する情報を検出するセンサをさらに備え、
前記サービスプロセッサは、
前記パフォーマンス情報に加え、前記センサの検出データを収集する手段と、
収集された前記データを前記情報処理装置に転送する通信手段とを有し、
前記情報処理装置は、
前記サービスプロセッサからのデータを保存するデータベース手段と、
保存された前記データに基づき、前記対象者の動きに関連付けて前記装置を用いた作業に関するワークフローを分析し、該分析情報から前記ワークフロー分析レポートを作成する処理手段とを有することを特徴とするワークフロー分析レポート作成システム。
【請求項８】
請求項７記載のワークフロー分析レポート作成システムにおいて、
前記分析情報もしくは前記サービスプロセッサで収集された情報を入力してシミュレーション分析を行うシミュレーション手段をさらに備えたことを特徴とするワークフロー分析レポート作成システム。
【請求項９】
請求項７又は８記載のワークフロー分析レポート作成システムにおいて、
前記顧客サイトは複数存在し、
自顧客サイトで得られた分析情報に加え、他顧客サイトで得られた分析情報をレポート表示する手段をさらに備えたことを特徴とするワークフロー分析レポート作成システム。
【請求項１０】
請求項７乃至９のいずれか１項に記載のワークフロー分析レポート作成システムにおいて、
前記顧客サイトは、病院を含む医療機関であり、
前記装置は、前記医療機関の検査室に置かれるモダリティであり、
前記対象者は、前記モダリティを用いた検査を医療スタッフ及び該検査の被検者を含み、前記ワークフローは、前記モダリティを用いた検査に関するものであることを特徴とするワークフロー分析レポート作成システム。
【発明の詳細な説明】
【技術分野】
【０００１】
本発明は、ワークフロー分析レポートを作成するシステム及びその方法、並びに、情報処理装置に関し、とくに顧客が所有している画像診断機器等の装置の稼動状況や利用状況を提供するサービスにおいて、Ｗｅｂ等の技術を使って、顧客向けに表示・提供するサービス方法に関する。
【背景技術】
【０００２】
近年、病院経営を取り巻く環境は益々厳しくなってきている。特に、画像診断機器を導入し画像情報と診断レポート情報を提供する放射線部門では、画像診断機器の稼動状況や利用状況などの装置パフォーマンス情報を分析し、放射線部門経営の効率化に向けて画像診断機器や人的資源（ヒューマンリソース）を有効に利用することが経営上重要な課題である。これに関連したサービスとして、最近では、装置稼動状況・利用状況に関するサービスや、病院情報システム等における、いくつかのサービスが知られている。
【０００３】
また、装置パフォーマンス情報のみならず、装置を取り巻く環境（人、モノ、情報等）を含めた稼動状況の情報も、重要なパフォーマンス情報として注目されている。
【０００４】
例えば、患者単位当たりの検査時間やレポート作成時間のスループット時間や検査技師毎の検査時間など、多種多様なパフォーマンス情報が存在する。これらのパフォーマンス情報を正しく分析し、次の経営アクションへ繋げることが部門経営上必要視されている。
【０００５】
また、装置やその周辺を取り巻く実態に関するパフォーマンスを表す指標項目（メトリックス）には、多種多様なものがあるが、それらのメトリックスを正しく分析するには、人、時間、場所などの分析視点（ビューポイント）が重要とされている。
【０００６】
従来、このような画像診断機器等の装置稼動状況・利用状況に関するサービスとして、顧客向けに部門内のパフォーマンスを分析したカスタマー向け定期レポート（パフォーマンスレポート）を作成する方法及びシステムが知られている。このカスタマー向けレポート作成方法及びシステムの従来例を図９に示す。
【０００７】
図９に示すシステムは、各病院サイトＨＣＦ１〜ｎ側に設置され且つ病院経営者等の顧客が所有・運用するモダリティ１１０に接続されるサービスプロセッサ（ＳＰ）１３０と、各病院サイトＨＣＦ１〜ｎに通信回線を介して接続されるサービスセンターＳＶＣ側に設置されるデータサーバ（ＤＡＳ）１４０と、データサーバ１４０に通信回線を介して接続される顧客用のパーソナルコンピュータ（ユーザＰＣ）５０とを有する。
【０００８】
これにより、モダリティ１１０から出力される操作情報がサービスプロセッサ１３０の処理部１３１の動作にて収集・加工・分析され（情報収集ステップ１３１１）、１日毎にデータベース（ＤＢ）１３２内に蓄積され（一定期間の情報蓄積ステップ１３１２）、その蓄積データが、タイマ１３３の動作ＯＮのタイミングで、サービスセンターＳＶＣへ転送され（蓄積データ転送ステップ１３１３）、これによりデータサーバ１４０の処理部１４１の動作にてデータベース（ＤＢ）１４２に装置毎に引き出せるようデータ格納される（蓄積データ保存ステップ１４１１）。その後、タイマ１４３のレポート送信のタイミングで、データベース（ＤＢ）１４２内に貯め込んだ情報が抽出され（情報抽出ステップ１４１２）、この抽出情報からパフォーマンスレポートが所定フォーマットに合わせて作成され、顧客のユーザＰＣ１５０にメール送信される。このパフォーマンスレポートは、ユーザＰＣ１５０の処理部１５１にて、Ｗｅｂ上でも表示される（レポート表示ステップ１５１１）。
【０００９】
なお、本発明に関連する背景技術としては、以下のものがある。
【特許文献１】特開２００１−３４４２６３号公報
【特許文献２】特開２００２−１７７２３８号公報
【特許文献３】特開２００２−２３６７４４号公報
【発明の開示】
【発明が解決しようとする課題】
【００１０】
従来例のカスタマー向けレポート作成方法及びシステムでは、システムや装置の操作に伴うパフォーマンスレポートの作成を行うものであり、システムや装置に関わる医療スタッフや患者等の人の動きも含めたパフォーマンスレポートの作成・分析については意図しておらず、それらの情報を用いた他病院サイトとのベンチマークも困難であり、また実際の値をシミュレーションソフトへ入力する手段もなく、分析に手間がかかるといった課題があった。よって、カスタマー向けレポートでは、モダリティやシステムのパフォーマンスだけではなく、人の動きも分析して、部門の生産性を総合的に評価することが望まれていた。
【００１１】
本発明は、このような従来の事情を背景になされたもので、顧客サイトの部門等に置かれる装置又はシステムのパフォーマンスに加え、対象者の動きも分析し、顧客サイトの装置又はシステムを用いた部門等の生産性を評価することを目的とする。
【課題を解決するための手段】
【００１２】
上記目的を達成するため、本発明に係る情報処理装置は、遠隔地の医用施設内にある医用装置の動作に関するパフォーマンス情報をネットワークを介して収集し、前記パフォーマンス情報を分析し、その分析結果のレポートを提供する情報処理装置であって、前記医用施設内のセンサにより検出された人の動きに関する情報及び前記パフォーマンス情報を受信する手段と、前記人の動きに関する情報及び前記パフォーマンス情報を保存するデータベース手段と、前記データベースに記憶された前記人の動きに関する情報及び前記パフォーマンス情報に基づき、前記医用施設における作業の分析レポートを作成する処理手段とを有することを特徴とする。
【００１３】
また、本発明に係るワークフロー分析レポート作成方法は、顧客サイトに置かれた装置からその装置の動作に関するパフォーマンス情報を収集するステップと、収集された前記パフォーマンス情報を分析して前記装置を用いた作業に関する顧客向けワークフロー分析レポートを作成するステップとを有するワークフロー分析レポート作成方法であって、前記装置を用いた作業を行う作業者を含む対象者の動きに関する情報を検出するステップをさらに備え、前記パフォーマンス情報を収集するステップは、前記パフォーマンス情報に加え、センサの検出データを収集するステップと、収集された前記データを前記情報処理装置に転送するステップとを有し、前記ワークフロー分析レポートを作成するステップは、前記サービスプロセッサからのデータを保存するステップと、保存された前記データに基づき、前記対象者の動きに関連付けて前記装置を用いた作業に関するワークフローを分析し、該分析情報から前記ワークフロー分析レポートを作成するステップとを有することを特徴とする。
【００１４】
本発明に係るワークフロー分析レポート作成方法において、前記分析情報もしくは前記サービスプロセッサで収集された情報を入力してシミュレーション分析を行うステップをさらに備えてもよい。また、自顧客サイトで得られた分析情報に加え、複数の他顧客サイトで得られた分析情報をレポート表示するステップをさらに備えてもよい。
【００１５】
さらに、本発明に係るワークフロー分析レポート作成方法において、前記顧客サイトは、病院を含む医療機関であり、前記装置は、前記医療機関の検査室に置かれるモダリティであり、前記対象者は、前記モダリティを用いた検査を医療スタッフ及び該検査の被検者を含み、前記ワークフローは、前記モダリティを用いた検査に関するものであることが好ましい。
【００１６】
本発明に係るワークフロー分析レポート作成システムは、顧客サイトに置かれた装置からその装置の動作に関するパフォーマンス情報を収集するサービスプロセッサと、前記サービスプロセッサからのパフォーマンス情報を分析して前記装置を用いた作業に関する顧客向けワークフロー分析レポートを作成する情報処理装置とを有するワークフロー分析レポート作成システムであって、前記装置を用いた作業を行う作業者を含む対象者の動きに関する情報を検出するセンサをさらに備え、前記サービスプロセッサは、前記パフォーマンス情報に加え、前記センサの検出データを収集する手段と、収集された前記データを前記情報処理装置に転送する通信手段とを有し、前記情報処理装置は、前記サービスプロセッサからのデータを保存するデータベース手段と、保存された前記データに基づき、前記対象者の動きに関連付けて前記装置を用いた作業に関するワークフローを分析し、該分析情報から前記ワークフロー分析レポートを作成する処理手段とを有することを特徴とする。
【００１７】
本発明に係るワークフロー分析レポート作成システムにおいて、前記分析情報もしくは前記サービスプロセッサで収集された情報を入力してシミュレーション分析を行う手段をさらに備えてもよい。また、自顧客サイトで得られた分析情報に加え、複数の他顧客サイトで得られた分析情報をレポート表示する手段をさらに備えてもよい。
【００１８】
さらに、本発明に係るワークフロー分析レポート作成方法において、前記顧客サイトは、病院を含む医療機関であり、前記装置は、前記医療機関の検査室に置かれるモダリティであり、前記対象者は、前記モダリティを用いた検査を医療スタッフ及び該検査の被検者を含み、前記ワークフローは、前記モダリティを用いた検査に関するものであることが好ましい。
【発明の効果】
【００１９】
本発明によれば、顧客サイトの部門内の人の動きを分析して、シミュレーションを行うことができ、例えば患者や医療スタッフ等の対象者の動線に関するワークフロー分析レポートを提供でき、顧客サイトの実データを用いたシミュレーションができる。
【発明を実施するための最良の形態】
【００２０】
以下、本発明に係るワークフロー分析レポート作成システム及び方法を実施するための最良の形態を添付図面を参照して説明する。
【実施例】
【００２１】
図１は、本実施例のワークフロー分析レポート作成システムのシステム構成を示す概念図である。
【００２２】
図１に示すワークフロー分析レポート作成システムは、経営者等の顧客（「カスタマー」又は「ユーザ」）サイトである各病院（医療機関）サイトＨＣＦ１〜ｎ側に設置され且つ顧客が所有する画像システム（「モダリティ」とも呼ぶ）１０に接続されるサービスプロセッサ（ＳＰ）３０と、このサービスプロセッサ３０の例えば外部入力端子に外部データを出力可能に接続されるヒト追跡センサ２０と、各病院サイトＨＣＦ１〜ｎに通信回線を介して接続されるサービスプロバイダ（アプリケーション・サービス・プロバイダ（ＡＳＰ）も含まれる）等のサービスセンターＳＶＣ（「データセンター」とも呼ぶ）側に設置されるデータサーバ（ＤＡＳ）（「サービスサーバ」とも呼ぶ）４０と、サービスセンターＳＶＣに通信回線を介して接続される顧客用のパーソナルコンピュータ（以下、ユーザＰＣ（Ｕｓｅｒ  ＰＣ）と呼ぶ）５０とを有する。
【００２３】
モダリティ１０は、例えばＣＴ装置、ＭＲＩ装置、超音波診断装置、Ｘ線診断装置、核医学装置等の医用画像診断装置から構成される。本実施例では、例えば病院サイトＨＣＦ１〜ｎ内のＣＴ検査室に設置されるＣＴ装置が例示される。ＣＴ装置は、例えば患者を載せる天板を進退自在に支持する寝台と、患者を載せた天板が進退される診断用開口部を有し且つその開口部内に進入された患者に対しＸ線照射によるＣＴスキャンを行うガントリと、ＣＴスキャンに関する各種操作・制御信号をガントリ及び寝台に供給し且つＣＴスキャンで得られたＸ線データから患者のＣＴ画像を再構成してモニタ上に表示する等の各種操作器及び画像処理装置等を有するコンソールとを有する。
【００２４】
ヒト追跡センサ２０には、例えば映像、声、ＩＣセンサ信号、通過スイッチ信号等の情報を検出し、この検出信号からモダリティ１０を用いた検査に関わる医療スタッフ（技師、看護婦等）及び患者等の対象者となるヒト（動作主体者）ＯＢの動きに関する情報（例えば、動作時間、動作場所、動作主体者の特定、動作の意味内容等）を分析可能なセンサであれば、いずれのタイプでもよく、例えばビデオカメラ（撮像装置）、ＩＣタグ（「ＲＦＩＤタグ」等とも呼ぶ）、ＩＣチップ等が例示される。例えば、ビデオカメラの場合、病院サイトＨＣＦ１〜ｎ内のモダリティ１０が置かれる検査室の内外等の適宜位置に設置され、撮像されたヒトＯＢの映像信号をサービスプロセッサ３０にその外部入力データとして供給する。ＩＣタグの場合、ヒトＯＢが常時携帯し、病院サイトＨＣＦ１〜ｎ内の適宜位置に設置されるＲＦＩＤリーダライタとの間の非接触通信によりヒトＯＢの通過等を検出しその通過信号等の検出信号をサービスプロセッサ３０にその外部入力データとして供給する。本実施例では、ヒト追跡センサ２０としては、例えばビデオカメラが例示される。
【００２５】
サービスプロセッサ３０は、モダリティ１０とは別体又は内蔵のプロセッサから構成され、機能上、メモリ上に配置される制御・処理プログラムを実行するＣＰＵを含む処理部３１と、メモリ（ＲＡＭ／ＲＯＭ）及びハードディスク等の記録媒体上に格納されるデータベース（ＤＢ）３２と、処理部３１からサービスセンター４０へのデータ転送タイミングを制御する動作ＯＮ信号（割り込み信号）を発生するタイマ３３とを有する。その他の構成要素としては、通信回線に接続される通信インターフェース（図示しない）等も含まれる。
【００２６】
処理部３１は、ＣＰＵのプログラム実行により、ヒトＯＢ（技師等）のモダリティ１０に対するシステム操作に関する操作データを含むログ情報をモダリティ１０から収集する（システム操作ログ収集ステップ３１１）。このログ情報には、モダリティ１０からその装置情報、例えば装置のトラブル情報、故障情報、修理状況情報などの装置メンテナンス情報（以下、「メンテナンス情報」）に加え、装置の稼動状況や利用状況に関する情報（以下、「パフォーマンス情報」）の基本データが含まれる。パフォーマンス情報には、例えば「検査番号情報」、「検査開始時間」、「検査完了時間」、「Ｘ線照射開始時間」、「Ｘ線照射完了時間」、「再構成開始時間」、「再構成完了時間」、「検査技師名」、「放射線科医師名」、「依頼元名」、「検査種別」、「プラン設定種別」等の情報が含まれる。
【００２７】
また、処理部３１は、ＣＰＵがメモリ上のプログラムを実行することにより、ヒト追跡センサ２０からの外部入力データを収集する（情報収集ステップ３１２）。外部入力データには、例えば「患者入室時間」、「患者準備完了時間」、「患者退室時間」等が含まれる。
【００２８】
さらに、処理部３１は、ＣＰＵのプログラム実行により、上記システム操作ログ収集ステップ３１１及び情報収集ステップ３１２で収集された両データに対し、「データの意味付け」を行ない、意味付けされたデータに対し時刻情報を付加して、「動作主体者（player）」と「ヒトＯＢの位置（location）」と「時間情報（time）」の関係を決定し、データベース３２に一定期間（例えば、１日分の検査が終了するまで）蓄積させる（一定期間の情報蓄積ステップ３１３）。「データの意味付け」とは、例えば画像検査の場合、誰が検査をしたか、検査部位はどこか、検査種類は何かなどの分類によって、カテゴライズ化されるものを言う。ここで意味付けされた一連の情報は、サービスプロセッサ３０内にある時計で、時刻情報と関連付けられる。
【００２９】
処理部３１は、ＣＰＵのプログラム実行により、上記データベース３２の蓄積データをタイマ３３からの動作ＯＮ信号を受けてサービスセンターＳＶＣのデータサーバ４０に転送する（蓄積データ転送ステップ３１４）。
【００３０】
サービスセンターＳＶＣのデータサーバ４０は、例えばインターネット上のＷｅｂサーバや電子メール機能等を有するＰＣサーバや専用サーバ等の１台又は複数台のコンピュータマシンで構成され、機能上、メモリ上に配置される制御・処理プログラムを実行するＣＰＵを含む処理部４１と、メモリ（ＲＡＭ／ＲＯＭ）及びハードディスク等の記録媒体上に格納されるデータベース（ＤＢ）４２と、処理部４２からユーザＰＣ５０へのレポート送信タイミングを制御する動作ＯＮ（割り込み信号）を発生するレポート送信タイマ４３とを有する。その他の構成要素としては、通信回線に接続される通信インターフェース（図示しない）等も含まれる。制御・処理プログラムには、ＯＳのほか、ＯＳ上で動作する通信プログラム、Ｗｅｂサーバソフトウェア等の各種アプリケーション・ソフトウェア等が含まれる。
【００３１】
また、このデータサーバＤＡＳは、アプリケーション・サービス・プロバイダ（ＡＳＰ）により顧客向けに提供される。データサーバＤＡＳで利用可能なアプリケーション・ソフトウェアとして、シミュレーションソフト４４がサーバに実装される。このシミュレーションソフト４４は、ユーザＰＣ５０のＷｅｂ画面から入力されるデータを受信したときに、この入力データに基づいて、後述する各種シミュレーション分析を実行し、その分析結果をユーザＰＣ５０のＷｅｂ画面上に表示させることが可能となっている。
【００３２】
処理部４１は、ＣＰＵのプログラム実行により、サービスプロセッサ３０から転送されてくるデータをデータベース４２に蓄積し（蓄積データ保存ステップ４１１）、タイマ４３からの動作ＯＮ信号を受けてデータベース４２の蓄積データから情報を抽出し、これら情報を用いてインターネットのＷｅｂ上で閲覧可能なＨＴＭＬ又はＸＭＬファイル形式のＷｅｂページからなるＷｅｂレポートとして「ワークフロー分析レポート（カスタマー向け定期レポート）」を作成し、電子メールでユーザＰＣ５０に送信する（情報抽出ステップ４１２）。
【００３３】
「ワークフロー分析レポート」には、例えば、部門内にある各部屋に患者が滞留している時間比率、各部屋にある装置稼働時間、装置間の稼働時間比較、装置利用時間、時間間隔毎のヒト追跡表示、部屋内のヒト出入り時間スケジュール、装置稼働時間スケジュール、各種基本テーブル情報、他病院サイトＨＣＦ１〜ｎの平均稼働率、他病院サイトＨＣＦ１〜ｎの平均稼働時間等が含まれる。
【００３４】
ユーザＰＣ５０は、例えばインターネット上のＷｅｂサーバにより提供されるＷｅｂページを閲覧するＷｅｂブラウザ及びインターネット経由で電子メールを送受信させる電子メール機能を有し、機能上、メモリ上に配置される制御・処理プログラムを実行するＣＰＵを含む処理部５１を有する。その他、図示しなし構成要素として、ハードディスク等の記録装置、ＣＲＴや液晶ディスプレイ等の表示器、キーボードやマウス等の入力器、プリンタ等の出力器、及び通信回線に接続される通信インターフェース等も含まれる。制御・処理プログラムには、ＯＳのほか、ＯＳ上で動作する通信プログラム、Ｗｅｂブラウザ、電子メールソフトウェア等の各種アプリケーション・ソフトウェア等が含まれる。
【００３５】
処理部５１は、ＣＰＵのプログラム（Ｗｅｂブラウザ）実行により、データサーバ４０により提供されるＷｅｂレポートであるワークフロー分析レポートをＷｅｂ画面上に表示する（レポート表示ステップ５１１）。また、この処理部５１は、ＣＰＵのプログラム実行により、Ｗｅｂ画面上に表示されるワークフロー分析レポートからユーザが所望するデータを抽出し、データサーバ４０により提供されるシミュレーションソフト４４に入力（エキスポート）し、そのシミュレーション分析結果を表示する（データ抽出ステップ５１２）。
【００３６】
図２は、ユーザＰＣ５０の画面上で閲覧されるワークフロー分析レポートの表示例を示す。図２の例では、ワークフロー分析レポート（Ｗｅｂ）レポートしてヒト追跡カスタマーレポートＲＰ１が表示されている。このヒト追跡カスタマーレポートＲＰ１には、部門内にある各部屋（検査室等）に患者が滞留している時間比率を表示する「患者の滞留時間」グラフＷ１０と、各部屋にある装置の稼働時間、装置間の稼働時間比較、及び装置の利用時間等を表示する「装置利用時間」グラフＷ１１と、時間間隔毎のヒトＯＢの追跡結果を表示する「トレーシング（追跡）」画面Ｗ１２と、各種基本テーブル情報を表示する「テーブル」Ｗ１３と、部屋内のヒト出入り時間スケジュールや装置稼働時間スケジュール等を表示する「各部屋のワークフロー」グラフＷ１４とが設定されている。
【００３７】
上記ワークフロー分析レポートには、その他、他病院サイトＨＣＦ１〜ｎの平均稼働率、他病院サイトＨＣＦ１〜ｎの平均稼働時間等のデータも、表示グラフやテーブル（データ）として表示可能となっている。
【００３８】
上記ワークフロー分析レポートのうち、ユーザは、必要な分析結果のみを表示させることができる。また、ユーザは、図示しない「ユーザーコンフィグレーション画面」で各画面の表示条件に関するパラメータを可変設定することにより、ユーザＰＣ５０の表示画面上の好きな場所に好きなグラフやテーブルを表示させることが可能となっている。また、グラフやテーブルの表示方法として、色を変える等の設定も可能であり、例えば人の停滞時間の長い部分の色を変える等も可能である。
【００３９】
図３は、ユーザＰＣ５０の画面上に表示されるシミュレーションソフト４４を用いた分析表示例を示す。図３の例では、シミュレーションソフト４４は、機能上、以下の表示機能を有するものを用いている。
【００４０】
１）「現在の分析結果」を表示する機能
これは、現在の検査スループット、検査時間、検査数等の分析結果を表示グラフとして切り替えて表示するものである。
【００４１】
２）「プロセス変更後の分析結果予想」を表示する機能
これは、プロセス変更後にシミュレーションで予想される検査スループット、検査時間、検査数等の分析結果を表示グラフとして切り替えて表示するものである。これにより、例えば現在の検査スループットの表示と比較して評価可能となる。
【００４２】
３）「ヒトトレーシング（ヒト追跡）の分析結果予想」を表示する機能
これは、ヒトＯＢ毎の予想されるトレーシング分析結果を表示するものである。この分析結果は、時間毎の表示も可能である。この表示では、後述するように、ヒトＯＢの動作意味を入力し、どの動作にどれだけの時間を要しているかを表す表示グラフに変換することが可能である（詳細は図４参照）。
【００４３】
４）「スケジュール」を表示する機能
これは、動作主体者毎のプロセススケジュールを表示するものである。このスケジュールは、時間毎の表示も可能である。
【００４４】
５）「プロセス変更」を入力する機能
これは、プロセスを変更することで、各種の分析結果の予想グラフやヒトトレース結果を表示するものである。プロセスとして変化可能なのは、患者が入室するタイミング、装置操作との連携方法、装置の置き方等である。これらのプロセスは、ユーザＰＣ５０のＧＵＩ上で設定し、シミュレーションデータとして利用される。
【００４５】
６）「レイアウト変更」を入力する機能
これは、装置や部屋のレイアウトを変更することで、各種の分析結果の予想グラフやヒトトレース結果を表示するものである。これにより、レイアウトによる人件費コスト、収入アップの効果分析を表示可能になる。
【００４６】
図４の例では、上記シミュレーションソフト４４の表示機能により、シミュレーションレポート（Ｗｅｂレポート）ＲＰ２として、「現在の検査スループット」グラフＷ２１、「検査スループット（予想）」グラフＷ２２、「トレーシング（予想）」画面Ｗ２３、「ワークフロー」グラフＷ２４、「プロセス変更」ボタンＢＴ１、「レイアウト変更」ボタンＢＴ２、「分析」ボタンＢＴ３、及び「グラフ変更」ボタンＢＴ４が設定されている。
【００４７】
上記シミュレーションソフト４４を使った分析では、「トレーシング」表示機能において、ヒトの動作に関する設定が可能となっている。この詳細を図４を参照して説明する。
【００４８】
図４の例では、ヒトＯＢの動作意味Ｄ１として、例えば「患者を部屋へ搬入」の項目を設定し、この項目内に「ドアを開ける」、「部屋に入る」、「寝台を上げる又は下げる」、「部屋を出る」、「患者を連れて入る」、「患者を寝台にのせる」、「患者を固定する」、及びドアを閉める」がユーザ入力等により設定されている。このヒトＯＢの動作意味Ｄ１に対し、その動作主体者Ｄ３が誰であるかの関係が決定され、さらにそのヒトＯＢの動作に要した所要時間Ｄ２との関連も決定される。この場合の所要時間Ｄ２は、実データとして、例えばヒト追跡センサ２０の検出信号（ビデオ画像等）内に埋め込まれている時間情報やＳＰ内にある時計情報を基にしたタイムスタンプ情報が用いられる。
【００４９】
このようにヒトＯＢの動作意味Ｄ１、所要時間Ｄ２、及び動作主体者Ｄ３が関連付けられた情報（以下、「ヒト動作情報」）は、１検査１セットとしてサービスプロセッサＳＰ内に保管される。「ヒト動作情報」は、先のパフォーマンス情報と同様に、１日１回、サービスセンターＳＶＣのデータサーバ４０へデータ転送され、データサーバ４０のデータベース４２内に保存される。このデータベース４２は、装置毎に、各日付の情報テーブルを持つことになる。データサーバ４０は、データベース４２の蓄積データを基に、カスタマー向け定期レポート（ワークフロー分析レポート）を電子メールで送ると同時に、Ｗｅｂ上で全ての病院サイトＨＣＦ１〜ｎの定期レポートを表示する。レポート内容は、顧客の要望に応じて必要な情報に加工し、Ｗｅｂや電子メール等の手段を使って各顧客向けに情報を提供する。ユーザは、定期レポート内の情報を、シミュレーションソフト４４内に取り込み、実データを用いたシミュレーションを行うことができる。
【００５０】
次に、図５を参照して、本実施例の全体動作を説明する。
【００５１】
まず、サービスプロセッサ３０は、モダリティ１０からの操作ログを収集する（ステップＳ１）一方、ヒト追跡センサ２０からのヒトＯＢの動作に関する映像、声、ＩＣセンサ信号、通過スイッチ情報などの情報を収集する（ステップＳ２）。
【００５２】
次いで、収集された信号は、一旦サービスプロセッサ３０内で、データの意味付けを行う（ステップＳ３）。データの意味付けとは、例えば、画像検査の場合に、誰が検査をしたか、検査部位はどこか、検査種類は何かなどの分類によって、カテゴライズ化される。意味付けされた一連の情報は、サービスプロセッサ３０内にある時計で、時刻情報との関連づけを得る（ステップＳ４）。その後、サービスプロセッサ３０内に一旦保存される（ステップＳ５）。保存されたデータは、１検査単位で保存される。１日分の検査が終了したタイミングで、タイマ３３からの動作ＯＮ信号を受けて、サービスプロセッサ３０からデータが転送され（ステップＳ６）、サービスセンターＳＶＣのデータサーバ４０に受信され（ステップＳ７）、データベース４２内に格納される（ステップＳ８）。
【００５３】
次いで、データサーバ４０は、タイマ４３からの動作ＯＮ信号を受けて、一定期間（例えば、１ヶ月、３ヶ月）蓄積されたデータを使って、Ｗｅｂレポート（前述の図２参照）を作成する（ステップＳ９）。Ｗｅｂレポートは、顧客のユーザＰＣ５０に対し電子メール等で送られ、これによりユーザＰＣ５０の画面上に表示される（ステップＳ１０）と同時に、Ｗｅｂ上でも閲覧可能となる。
【００５４】
また、データサーバ４０Ｓは、Ｗｅｂ上で閲覧可能な実データ（検査数、検査時間など）をシミュレーションソフト４４にエキスポート（Ｅｘｐｏｒｔ）し（ステップＳ１１）、シミュレーションソフト４４でデータを取り込んで動作させ（ステップＳ１２、Ｓ１３）、これにより、そのシミュレーション分析結果（前述の図３参照）がユーザＰＣ５０の画面上に表示される（ステップＳ１４）。
【００５５】
次に、図６を参照して、ワークフロー分析レポートで得られる各種時間情報の具体例を説明する。ここでは、モダリティ１０としてＣＴ装置、ヒト追跡センサ２０としてビデオカメラの場合を例示している。
【００５６】
図６の例では、サービスプロセッサ３０の外部入力データＤ１０であるビデオカメラの映像情報から「患者が入室した時刻」、「患者の検査準備が完了した時刻」、「患者が退室した時刻」を得る。同様に、ＣＴ装置のコンソールの操作データ（システム操作ログ情報）Ｄ２０から、サービスプロセッサ３０を経由して、「技師が操作を開始した時刻」、「技師が操作を完了した時刻」、「Ｓｃａｎボタンを押した時刻」、「Ｓｃａｎ終了時刻」を得る。ここで、「技師が操作を開始した時刻」、「技師が操作を完了した時刻」は、モダリティ１０であるＣＴ装置（コンソール）の操作データＤ２０とヒト追跡センサ２０の外部入力データＤ１０（ビデオカメラの映像情報）との２種類の情報からタイムスタンプ情報を収集しても構わない。
【００５７】
これらのタイムスタンプ情報から、以下の各種時間情報が得られる（図６中の時刻ｔ１〜ｔ８及び時間Ｔ１〜Ｔ９参照）。  
「患者準備時間」＝「患者の検査準備が完了した時刻」−「患者が入室した時刻」
「患者待ち時間」＝「Ｓｃａｎボタンを押した時刻」−「患者が入室した時刻」
「操作準備時間」＝「Ｓｃａｎボタンを押した時刻」−「技師が操作を開始した時刻」
「スキャン時間」＝「Ｓｃａｎ終了時刻」−「Ｓｃａｎボタンを押した時刻」
「後処理時間」＝「技師が操作を完了した時刻」−「Ｓｃａｎ終了時刻」
「技師操作時間」＝「技師が操作を完了した時刻」−「技師が操作を開始した時刻」
「検査時間」＝「患者が退室した時刻」−「患者が入室した時刻」
「空き時間」＝「次Ｓｃａｎボタンを押した時刻」−「技師が操作を完了した時刻」
【００５８】
上記の時間情報を詳細に分析したり、他病院サイトＨＳＦ１〜ｎと比較したりすることで、どこに無駄・無理・ムラがあるか分析することができる。
【００５９】
例えば、他病院サイトＨＣＦ１〜ｎと比較して、「患者待ち時間」が長い場合、操作準備に手間取っているのか、それとも、患者の準備に手間取っているのか類推できる。そこで、更に、詳細な時間情報、即ち「操作準備時間」及び「患者準備時間」を分析することで、どこに問題がありそうか知ることができる。もし、「操作準備時間」が長く、操作準備に手間取っているとしたら、操作準備の方法に関するベストプラクティスの方法を提案する。もし、逆に、「患者準備時間」が長く、患者準備に手間取っているとしたら、患者準備に関するベストプラクティスの方法を提案する。また、準備手順が前後することで発生することが原因であれば、更なる分析のために、データサーバ４０により提供されるＷｅｂサイトを訪問して詳細の情報収集が必要になる。
【００６０】
例えば、それぞれの時間内容に対して、対象と単位時間当たりの費用が分かっていれば、コスト金額は、図７に示すよう「時間内容」Ｆ１毎に「対象」Ｆ２、「単位時間当たり費用（円／分）」Ｆ３、「所要時間（分）」Ｆ４の各データから「コスト金額（円）」Ｆ５として求まり、これにより１検査当たりのコストを明確にできる。
【００６１】
従って、本実施例によれば、病院サイトの部門毎に人（看護婦、技師等の医療スタッフ及び患者等）の動きを分析してシミュレーションを行うことができ、これにより患者や医療スタッフの動線に関するカスタマーレポートを提供できる。さらに、病院サイト側で実データを用いたシミュレーション分析も行うことができる。
【００６２】
なお、上記実施例では、シミュレーションソフトをサービスセンター側のデータサーバに実装してあるが、本発明はこれに限らず、例えば図８に示すように、データサーバ４０側のシミュレーションソフト４４に加え、ユーザＰＣ５０側にもシミュレーションソフト５２を実装してもよい。この構成においても、上記と同様の効果を得ることができる。
【００６３】
また、上記実施例では、病院サイト外にサービスセンターのデータサーバが置かれる場合を想定しているが、本発明はこれに限らず、データサーバは病院サイト内に設置してもよい。
【００６４】
さらに、上記実施例では、顧客サイトの代表として病院サイトを例示してあるが、本発明はこれに限らず、ワークフロー分析レポートを用いて部門の生産性を評価可能なものであれば、いずれの顧客サイトでも適用可能であり、例えば工場内の各部門等を例示できる。
【００６５】
なお、本発明は、代表的に例示した上述の実施形態に限定されるものではなく、当業者であれば、特許請求の範囲の記載内容に基づき、その要旨を逸脱しない範囲内で種々の態様に変形、変更することができる。これらの変更、変形例も本発明の権利範囲に属するものである。
【図面の簡単な説明】
【００６６】
【図１】本発明の実施例に係るワークフロー分析レポート作成システムの全体構成を示す図。
【図２】Ｗｅｂレポート（ヒト追跡カスタマーレポート）の表示例を示す図。
【図３】Ｗｅｂレポート（シミュレーションレポート）の表示例を示す図。
【図４】図１に示すワークフロー分析レポート作成システムにおいて、ヒトの動作意味、所要時間、動作主体者の関係を説明する図。
【図５】図１に示すワークフロー分析レポート作成システムの動作例を説明する図。
【図６】ワークフロー分析レポートで得られる各種時間の具体例を示す図。
【図７】図６の例でコスト金額を計算した場合を説明するテーブル。
【図８】シミュレーションソフトをユーザＰＣ側に実装した場合の構成のワークフロー分析レポート作成システムの全体構成を示す図。
【図９】従来例のパフォーマンスレポートを作成するシステムの全体構成を示す図。
【符号の説明】
【００６７】
１０  モダリティ（画像システム）
２０  ヒト追跡センサ
３０  サービスプロセッサ（ＳＰ）
３１  処理部（サービスプロセッサ）
３２  データベース（サービスプロセッサ）
３３  タイマ
４０  データサーバ（ＤＡＳ）
４１  処理部（データサーバ）
４２  データベース（データサーバ）
４３  レポート送信タイマ
４４  シミュレーションソフト
５０  ユーザＰＣ
５１  処理部（ユーザＰＣ）
【図１】
2005293301.tif 000003
【図２】
2005293301.tif 000004
【図３】
2005293301.tif 000005
【図４】
2005293301.tif 000006
【図５】
2005293301.tif 000007
【図６】
2005293301.tif 000008
【図７】
2005293301.tif 000009
【図８】
2005293301.tif 000010
【図９】
2005293301.tif 000011